(57)【要約】【課題】画像データにおけるノイズを抑制し、適切な放射線画像を検出することが出来ること。【解決手段】カセッテ１３０は、カセッテ１３０内に設置された電気基板１３３のアース系統に接続された磁性体１３２Ｂを備え、ケーブル１５０は、カセッテ１３０とケーブル１５０が接続される際に磁性体１３２Ｂに吸着する磁石１５１Ｂと、磁石１５１Ｂとコンソール２０のアース部２０１に接続されたアース線１５２Ｂとを備える。【選択図】図１
2011143125.tif 000002
【特許請求の範囲】
【請求項１】
入射した放射線に対応した電気信号を出力する検出部を備えた可搬型の放射線画像検出カセッテと、
当該放射線画像検出カセッテに対する電力の供給経路又は電気信号の転送経路の少なくとも一方を担うカセッテ用ケーブルと、
前記カセッテ用ケーブルに接続される外部機器と、を有し、
被写体に向けて照射された放射線を検出して放射線画像データを取得する放射線画像検出システムであって、
前記放射線画像検出カセッテは、前記放射線画像検出カセッテ内に設置された電気基板のアース系統に接続された磁性体を備え、
前記カセッテ用ケーブルは、前記放射線画像検出カセッテと前記カセッテ用ケーブルが接続される際に前記磁性体に吸着する磁石と、当該磁石と前記外部機器内のアース部に接続されたアース線と、を備えたことを特徴とする放射線画像検出システム。
【請求項２】
前記磁石は、ニッケルにより被膜されている請求項１に記載の放射線画像検出システム。
【請求項３】
前記磁石は、ネオジム磁石である請求項１又は２に記載の放射線画像検出システム。
【請求項４】
入射した放射線に対応した電気信号を出力する検出部を備えた可搬型の放射線画像検出カセッテと外部機器に接続され、当該放射線画像検出カセッテに対する電力の供給経路又は電気信号の転送経路の少なくとも一方を担うカセッテ用ケーブルであって、
カセッテ用ケーブルが前記放射線画像検出カセッテに接続される際に、前記放射線画像検出カセッテ内に設置された電気基板のアース系統に接続された磁性体に吸着する磁石と、
当該磁石と前記外部機器内のアース部に接続されたアース線と、
を有することを特徴とするカセッテ用ケーブル。
【請求項５】
前記磁石は、ニッケルにより被膜されている請求項４に記載のカセッテ用ケーブル。
【請求項６】
前記磁石は、ネオジム磁石である請求項４又は５に記載のカセッテ用ケーブル。
【発明の詳細な説明】
【技術分野】
【０００１】
本発明は、放射線画像検出システム及びカセッテ用ケーブルに関する。
【背景技術】
【０００２】
近年、被写体に放射線を照射し、被写体を透過した放射線を検出して放射線画像を得る方法として、デジタル方式の放射線撮影装置が用いられている。このような放射線撮影装置としては、いわゆるＦＰＤ（Ｆｌａｔ  Ｐａｎｅｌ  Ｄｅｔｅｃｔｏｒ）がある。
【０００３】
ＦＰＤの一例としては、基板上に複数の検出素子を二次元的に配列し、被写体を透過した放射線が蛍光体（シンチレータ）に照射され、照射された放射線量に応じて発光する可視光を電荷に変換して光電変換素子に蓄積し、光電変換素子に蓄積した電荷を読み出すことにより放射線画像を得るものがある。このようなＦＰＤは撮影直後に放射線画像を得られるという即時性を有している。
【０００４】
ＦＰＤを用いた放射線撮影装置の例として、特許文献１に記載された技術がある。特許文献１に記載された放射線撮影装置では、放射線画像を撮影する場合、まず可搬型のＦＰＤである電子カセッテを患者とベッドとの間に挿入し、撮影したい範囲に配置する。電子カセッテの配置が終了したら、ケーブルを電子カセッテの接続部に接続して、電子カセッテと制御装置及び電源装置とを接続する。そして、ケーブルを介して、制御装置から制御信号、及び電源装置から電源供給を受けて、電子カセッテが動作し、放射線画像を撮影する。放射線画像の撮影後は、電子カセッテからケーブルを介して制御装置へ画像データが伝送される。
【先行技術文献】
【特許文献】
【０００５】
【特許文献１】特開２００３−１４４４２４号公報
【発明の概要】
【発明が解決しようとする課題】
【０００６】
特許文献１に記載された技術では、ケーブルを介して電子カセッテと制御装置及び電源装置とが接続されるが、電子カセッテの電気基板のアース系統が適切に接地された状態になっていないと、画像データにノイズが生じて適切な放射線画像を検出することが出来ない可能性がある。また、当該電気基板のアース系統を接地するための機構が複雑であり、例えば電子カセッテに別途接地線を設けるような場合には、電子カセッテの取り回しに支障を来たす可能性がある。
【０００７】
そこで、本発明の目的は、簡易な方法でカセッテを接地し、画像データにおけるノイズを抑制して適切な放射線画像を検出することが出来る放射線画像検出システム及びカセッテ用ケーブルを提供することにある。
【課題を解決するための手段】
【０００８】
上記目的を達成するため、本発明に係る放射線画像検出システムは、
入射した放射線に対応した電気信号を出力する検出部を備えた可搬型の放射線画像検出カセッテと、
当該放射線画像検出カセッテに対する電力の供給経路又は電気信号の転送経路の少なくとも一方を担うカセッテ用ケーブルと、
前記カセッテ用ケーブルに接続される外部機器と、を有し、
被写体に向けて照射された放射線を検出して放射線画像データを取得する放射線画像検出システムであって、
前記放射線画像検出カセッテは、前記放射線画像検出カセッテ内に設置された電気基板のアース系統に接続された磁性体を備え、
前記カセッテ用ケーブルは、前記放射線画像検出カセッテと前記カセッテ用ケーブルが接続される際に前記磁性体に吸着する磁石と、当該磁石と前記外部機器内のアース部に接続されたアース線と、を備えたことを特徴とするものである。
【０００９】
また、本発明に係るカセッテ用ケーブルは、
入射した放射線に対応した電気信号を出力する検出部を備えた可搬型の放射線画像検出カセッテと外部機器に接続され、当該放射線画像検出カセッテに対する電力の供給経路又は電気信号の転送経路の少なくとも一方を担うカセッテ用ケーブルであって、
カセッテ用ケーブルが前記放射線画像検出カセッテに接続される際に、前記放射線画像検出カセッテ内に設置された電気基板のアース系統に接続された磁性体に吸着する磁石と、
当該磁石と前記外部機器内のアース部に接続されたアース線と、
を有することを特徴とするものである。
【発明の効果】
【００１０】
本発明に係る放射線画像検出システム及びカセッテ用ケーブルによれば、簡易な方法でカセッテを接地し、画像データにおけるノイズを抑制して適切な放射線画像を検出することが出来る。
【図面の簡単な説明】
【００１１】
【図１】放射線画像検出システムを示す概略図である。
【図２】カセッテとケーブルとの接続状態を示す説明図である。
【図３】ケーブルの拡大斜視図である。
【図４】カセッテの拡大斜視図である。
【図５】図３で示したケーブルのコネクタと図４で示したカセッテの接続部が接続された状態の断面を示す説明図である。
【図６】カセッテとコンソールとの間の接続状態を簡易的に示す説明図である。
【図７】コネクタが動いた場合の状態の断面を示す説明図である。
【発明を実施するための形態】
【００１２】
［放射線画像検出システムの概要］
図１は、放射線画像検出システム１を示す概略図である。
【００１３】
放射線画像検出システム１は、患者Ｐに向けて照射された放射線を検出して放射線画像データを取得するシステムである。図１に示すように、放射線画像検出システム１は、破線で囲まれた放射線撮影装置１０と、コンソール（外部機器）２０と、管理サーバ３０により構成されている。
【００１４】
破線で囲まれた放射線撮影装置１０は、臥位撮影台１２０を用いて患者Ｐに関する放射線画像を撮影する装置である（なお、臥位撮影台ではなく、立位撮影台であってもよい）。放射線撮影装置１０は、放射線照射部１１０と、臥位撮影台１２０と、カセッテ（放射線画像検出カセッテ）１３０と、カセッテ装着部１４０等により構成されている。
【００１５】
放射線照射部１１０は、放射線画像を撮影する場合、コンソール２０の制御信号に基づいて臥位撮影台１２０に横たわっている患者Ｐに向けて放射線を照射する。
【００１６】
カセッテ装着部１４０に装着されることにより臥位撮影台１２０にセットされたカセッテ１３０は、放射線照射部１１０から照射され患者Ｐを透過した放射線を検出して放射線画像データを取得する。
【００１７】
カセッテ１３０は、内部に検出部１３１（図２参照）を有している。検出部１３１は、基板上に二次元的に配列された複数の検出素子を有し、検出素子に照射された放射線量に対応した電気信号を出力する。
【００１８】
カセッテ１３０の放射線入射方向の厚さは１６ｍｍ以下であることが好ましく、従来のスクリーン／フィルム用のカセッテにおける規格（ＪＩＳ  Ｚ  ４９０５）に準拠するサイズ（１５ｍｍ＋１ｍｍであり、かつ１５ｍｍ−２ｍｍ）の範囲内であることが好ましい（ＪＩＳ  Ｚ  ４９０５に対応する国際規格は、ＩＥＣ  ６０４０６である）。
【００１９】
コンソール２０は、主にカセッテ１３０の動作を制御する制御端末であり、カセッテ１３０から出力された放射線画像データを取得し画像処理を行う。また、コンソール２０は、カセッテ１３０に対する電力供給も行っている。
【００２０】
カセッテ１３０とコンソール２０は、端部にコネクタ１５１が設置されたケーブル（カセッテ用ケーブル）１５０により接続されている。放射線撮影装置１０において、カセッテ１３０とコンソール２０がケーブル１５０により接続された状態で放射線画像が撮影される。
【００２１】
カセッテ１３０で取得した放射線画像データは、ケーブル１５０を通じてコンソール２０に転送される。また、カセッテ１３０に対する制御信号は、ケーブル１５０を通じてコンソール２０からカセッテ１３０に転送される。更に、カセッテ１３０を動作させるための電力が、ケーブル１５０を通じてコンソール２０からカセッテ１３０に供給される。つまり、本実施形態におけるケーブル１５０は、電気信号の転送経路及び電力の供給経路を担っている。
【００２２】
管理サーバ３０は、放射線撮影に関する情報を管理する機能を有する。
【００２３】
コンソール２０と管理サーバ３０は相互にネットワークＮを通じて接続されている。なお、ここでは図示してないが、放射線画像検出システム１は、被写体診断情報や会計情報を一元管理するＨＩＳ（Ｈｏｓｐｉｔａｌ  Ｉｎｆｏｒｍａｔｉｏｎ  Ｓｙｓｔｅｍ）や放射線診療の情報を管理するＲＩＳ（Ｒａｄｉｏｌｏｇｙ  Ｉｎｆｏｒｍａｔｉｏｎ  Ｓｙｓｔｅｍ）とネットワークＮを介して接続されている。ネットワークＮは、当該システム専用の通信回線であってもよいが、システム構成の自由度が低くなってしまう等の理由のため、イーサネット（登録商標）等の既存の回線である方が好ましい。
【００２４】
［カセッテとケーブルとの接続］
図２は、カセッテ１３０とケーブル１５０との接続状態を示す説明図である。
【００２５】
カセッテ１３０には検出部１３１と接続部１３２が設けられている。ケーブル１５０はコネクタ１５１とコード１５２から構成されており、コネクタ１５１がカセッテ１３０の接続部１３２に接続される。コネクタ１５１と接続部１３２は後述するように磁石の吸引力により接続される。以下、ケーブル１５０と接続部１３２の構造、及びコネクタ１５１と接続部１３２が磁石の吸引力により接続される構造を説明する。
【００２６】
図３は、ケーブル１５０の拡大斜視図である。
【００２７】
前述したように、ケーブル１５０は大きく分けてコネクタ１５１とコード１５２から構成されており、図３を用いてコネクタ１５１とコード１５２の構造を詳しく説明する。
【００２８】
ケーブル１５０の端部に設置されたコネクタ１５１は、主に吸着部材１５１Ａと、磁石１５１Ｂと、コネクタ端子１５１Ｃにより構成されている。
【００２９】
吸着部材１５１Ａは図３で示すように磁石１５１Ｂの周辺に設けられている。吸着部材１５１Ａは、磁性体（例えば、鉄、ステンレス鋼等）であり、磁石１５１Ｂの磁力線が外部に漏れないようにシールドする機能を有している。図３では示していないが、吸着部材１５１Ａの一部分がコード１５２のアース線１５２Ｂに接続されている。
【００３０】
磁石１５１Ｂは吸着部材１５１Ａに吸着しており、複数のコネクタ端子１５１Ｃの上下に配置されている。磁石１５１Ｂは強力な磁力を発生するネオジム磁石であり、コネクタ１５１とカセッテ１３０の接続部１３２が強固に接続されて簡単に外れないようになっている。また、磁石１５１Ｂの表面は、ニッケルにより被膜されて高導電性を有しており、吸着部材１５１Ａとの間で高い電気伝導性を確保している。
【００３１】
複数設けられているコネクタ端子１５１Ｃは、電気信号の転送用の端子や電力供給用の端子として機能する。コネクタ端子１５１Ｃはスプリングコネクタであり、コネクタ端子１５１Ｃの先端が可動するようになっている。
【００３２】
このような構造のコネクタ１５１にコード１５２が結合されている。コード１５２は主にケーブル束１５２Ａとアース線１５２Ｂから構成されている。
【００３３】
図３では示していないが、各々のコネクタ端子１５１Ｃには電気信号転送用のケーブル線や電力供給用のケーブル線が接続されており、複数のケーブル線が束となってケーブル束１５２Ａとなっている。
【００３４】
アース線１５２Ｂはカセッテ１３０をアースに接地（正確には、図６を用いて後述するように、カセッテ１３０の電気基板１３３のアース系統をコンソール２０のアース部２０１に接続）するためのものであり、ケーブル束１５２Ａの外周に設けられている。アース線１５２Ｂはメッシュ状の金属線で構成されている。
【００３５】
図４は、カセッテ１３０の拡大斜視図である。
【００３６】
カセッテ１３０の端部には接続部１３２が設置されており、接続部１３２は主にカセッテ端子１３２Ａと、磁性体１３２Ｂにより構成されている。
【００３７】
カセッテ端子１３２Ａは、カセッテ１３０とケーブル１５０が接続されるとケーブル１５０のコネクタ端子１５１Ｃに接続され、カセッテ端子１３２Ａを介して電気信号の転送や電力の供給がなされる。
【００３８】
カセッテ端子１３２Ａの周辺に磁性体１３２Ｂが設置されており、磁性体１３２Ｂは、例えば、鉄、ステンレス鋼等により形成されている。
【００３９】
図５は、図３で示したケーブル１５０のコネクタ１５１と図４で示したカセッテ１３０の接続部１３２が接続された状態の断面を示す説明図である。
【００４０】
カセッテ１３０とケーブル１５０を接続するためにコネクタ１５１をカセッテ１３０の接続部１３２に近づけると、図５で示すように、コネクタ１５１内の磁石１５１Ｂがカセッテ１３０内の磁性体１３２Ｂに吸着し、磁石１５１Ｂと磁性体１３２Ｂが接触する。その結果、コネクタ端子１５１Ｃの先端がカセッテ端子１３２Ａに接触し、カセッテ１３０とコンソール２０との間における電力の供給経路及び電気信号の転送経路が形成される。このように、コネクタ１５１内の磁石１５１Ｂの吸引力によりカセッテ１３０とケーブル１５０が接続されるので、カセッテ１３０とケーブル１５０との接続作業を簡単に行うことが出来る。
【００４１】
［カセッテの接地］
図５で示したように、コネクタ１５１内の磁石１５１Ｂの吸引力によりカセッテ１３０とケーブル１５０が接続されるが、カセッテ１３０とコンソール２０を接続する際に、カセッテ１３０とコンソール２０が同電位になるよう、磁石１５１Ｂと磁性体１３２Ｂを経由してカセッテ１３０がアースに接地されるようになっている。この点を図６を用いて説明する。
【００４２】
図６は、カセッテ１３０とコンソール２０との間の接続状態を簡易的に示す説明図である。
【００４３】
カセッテ１３０、ケーブル１５０、コンソール２０の各々の構成を説明すると、まずカセッテ１３０には検出部１３１等を制御する電気基板１３３が設けられており、電気基板１３３のアース系統と磁性体１３２Ｂが接続されている。
【００４４】
カセッテ１３０に接続されるケーブル１５０では、アース線１５２Ｂに接続されている吸着部材１５１Ａ（図３参照）に磁石１５１Ｂが吸着されているため、吸着部材１５１Ａを介して磁石１５１Ｂとアース線１５２Ｂが接続されている。
【００４５】
コンソール２０には接地されたアース部２０１が設けられており、アース部２０１にケーブル１５０のアース線１５２Ｂが接続されている。
【００４６】
従って、図５で示したように、磁石１５１Ｂの吸引力によりカセッテ１３０とケーブル１５０が接続されると、図６で示すように電気基板１３３のアース系統、磁性体１３２Ｂ、磁石１５１Ｂ、アース線１５２Ｂ、アース部２０１が導通し、カセッテ１３０がアースに接地されてカセッテ１３０とコンソール２０とが同電位になる。
【００４７】
このように、カセッテ１３０とケーブル１５０を接続する際に、磁性体１３２Ｂと磁石１５１Ｂを経由してカセッテ１３０をアースに接地すると、カセッテ１３０とコンソール２０が接続された状態で同電位になり、画像データにおけるノイズを抑制し、適切な放射線画像を検出することが出来る。また、磁石１５１Ｂと磁性体１３２Ｂを吸着するだけでカセッテ１３０がアースに接地されるため、アースへの接地作業が簡易に行うことが出来る。
【００４８】
［コネクタ可動］
図１に示す放射線画像検出システム１では、臥位撮影台１２０の下部にあるカセッテ装着部１４０にカセッテ１３０をセットし、患者Ｐを透過した放射線を検出して放射線画像データを取得しているが、例えばベッド等に横たわり体を自由に動かせない患者に対して放射線画像を取得する場合もある。このような場合、患者とやわらかいベッドとの間にカセッテ１３０を挿入させて放射線画像を撮影することになるが、カセッテ１３０が患者とベッドとの間に挟まれカセッテ１３０の接続部１３２とケーブル１５０のコネクタ１５１との接点に対して負荷が加わることが想定される。しかしながら、本実施形態においては、カセッテ１３０の接続部１３２とケーブル１５０のコネクタ１５１との接続状態が磁石１５１Ｂの吸着力により維持されるようになっている。以下、この点について詳しく説明する。
【００４９】
図５で示したように磁石１５１Ｂは吸着部材１５１Ａに吸着しているが、図５の矢印で示すように磁石１５１Ｂは吸着部材１５１Ａとの吸着面に沿ってスライド可能となっている（図５に示す上下の磁石１５１Ｂともスライド可能である）。
【００５０】
患者とやわらかいベッドとの間にカセッテ１３０を挿入すると、カセッテ１３０が患者とベッドとの間に挟まれてコネクタ１５１に外力が加わる。その結果、例えば図５に示す状態から図７に示す状態にコネクタ１５１が可動する。しかし、図５に示す状態から図７に示す状態になっても、磁石１５１Ｂが吸着部材１５１Ａとの吸着面に沿ってスライドするため（図７における上の磁石１５１Ｂは図５の状態からａ方向にスライドし、図７における下の磁石１５１Ｂは図５の状態からｂ方向にスライドする）、磁石１５１Ｂと磁性体１３２Ｂは吸着し、コネクタ端子１５１Ｃとカセッテ端子１３２Ａとの接触状態が維持出来る。つまり、磁石１５１Ｂが吸着部材１５１Ａの吸着面に沿ってスライド可能であるため、コネクタ１５１がどのような方向に可動しても磁石１５１Ｂと磁性体１３２Ｂが吸着し、カセッテ１３０とケーブル１５０との接続状態を維持出来る。
【００５１】
以上、本発明を図１〜図７に示す実施形態を用いて説明したが、本発明は当該実施形態に限定されるものではなく、本発明の要旨を逸脱しない範囲における変更や追加があっても本発明に含まれる。
【００５２】
図１に示す本実施形態では、ケーブル１５０が電力の供給経路及び電気信号の転送経路を担っているが、本発明はこれに限らず、ケーブル１５０が電力の供給経路又は電気信号の転送経路の少なくとも一方を担うものであれば良い。具体的に説明すると、例えば、ケーブル１５０が電力の供給経路を担っているが、放射線画像データの転送は無線によりカセッテ１３０からコンソール２０に転送するような形態であったり、ケーブル１５０が放射線画像電気信号の転送経路を担っているが、カセッテ１３０には充電池が設置されており、カセッテ１３０をクレードルにセットして充電池に電力を充電するような形態であったりしてもよい。
【符号の説明】
【００５３】
１  放射線画像検出システム
１０  放射線撮影装置
２０  コンソール
３０  管理サーバ
１１０  放射線照射部
１２０  臥位撮影台
１３０  カセッテ
１３１  検出部
１３２  接続部
１３２Ａ  カセッテ端子
１３２Ｂ  磁性体
１３３  電気基板
１４０  カセッテ装着部
１５０  ケーブル
１５１  コネクタ
１５１Ａ  吸着部材
１５１Ｂ  磁石
１５１Ｃ  コネクタ端子
１５２  コード
２０１  アース部
【図１】
2011143125.tif 000003
【図２】
2011143125.tif 000004
【図３】
2011143125.tif 000005
【図４】
2011143125.tif 000006
【図５】
2011143125.tif 000007
【図６】
2011143125.tif 000008
【図７】
2011143125.tif 000009